(57)【要約】      （修正有）【課題】サッカーやフットサル、ハンドボールなどの球技スポーツの競技中に、ネットを揺るがす強いゴールが決ったとき、競技者がゴール前の競い合いで勢い余ってゴールに突っ込んだ時に、ネットが切れたり、或いは弛んだりしない競技用ゴールを提供する。【解決手段】  競技用ゴールのゴール枠体１１の全長に、隔壁を設けて一部を開口し、この隔壁にネット嵌め込め用溝１３、固定金具取付け用溝、カバー２１取付け用溝を備え、取付け用溝に、カバー２１を開閉自在に設ける。  また、ゴール枠体１１の隔壁に設けられたネット嵌め込め用溝１３に、ネット３１を嵌め込み、カバー２１取付け用溝に開閉自在に設けられたカバー２１で枠体開口部を塞ぎ、ゴール枠体１１の複数適宜所で、カバー２１をボルト４１とナット４０で開閉不能に固定する。ゴール枠体１１は、押出し材で形成される。【選択図】図３
2007082988.tif 000002
【特許請求の範囲】
【請求項１】
球技用ゴール１において、ゴール枠体１１の全長に、隔壁１２を設けて一部を開口し、この隔壁１２にネット嵌め込め用溝１３、固定金具取付け用溝１４、カバー２１取付け用溝１６を備え、該取付け用溝１６に、カバー２１を開閉自在に設けたことを特徴とするフットサル用を含む球技用ゴール。
【請求項２】
ゴール枠体１１の隔壁１２に設けられたネット嵌め込め用溝１３に、ネット３１を嵌め込め、カバー２１取付け用溝１６に開閉自在に設けられたカバー２１で枠体開口部を塞ぎ、該枠体の複数適宜所で、前記カバー２１を固定手段で開閉不能に固定した請求項１記載の球技用ゴール。
【請求項３】
ほぼ全長にカバー２１が開閉自在に設けられるゴール枠体１１は、押出し材で形成されたことを特徴とする請求項１及び請求項２記載の球技用ゴール。
【発明の詳細な説明】
【技術分野】
【０００１】  本発明はサッカーやフットサル、ハンドボールなどの球技スポーツ用のゴールに係り、特にゴール枠体にネットを取付ける手段に関するものである。
【背景技術】
【０００２】  現在使用されているサッカーやフットサル、ハンドボールなどの球技スポーツ用のゴールは、枠体はそのほとんどがアルミニューム製であって、該枠体の適宜所にネットを引っ掛けて使用している。
競技中、ネットを揺るがす強いゴールが決ったときやゴール前の競い合いで勢い余ってゴールに突っ込んだ時など、ネットが強く引っ張られることは珍しい出来事ではなく、したがって、試合途中でネットが引っ掛け部から切れたり、或いは弛んだりする現象はしばしば起きている。そこで、これらの現象が数多く発生する、例えばフットサルの競技などでは、係る点の心配が無いゴールの出現が待たれている。
【発明の開示】
【発明が解決しようとする課題】
【０００３】  ゴールに関して定められている各球技の規定を満足するものであることは当然、ゴール枠に取付けられたネットが、競技中に引っ張られても切れたり緩んだりせず、最適な状態を保持でき、且つその取り付けも簡便な球技用ゴールを提供しようとするものである。
【課題を解決するための手段】
【０００４】  競技用ゴール１において、ゴール枠体１１の全長に、隔壁１２を設けて一部を開口し、この隔壁１２にネット嵌め込め用溝１３、固定金具取付け用溝１４、カバー２１取付け用溝１６を備え、該取付け用溝１６に、カバー２１を開閉自在に設けたことを特徴とし、
ゴール枠体１１の隔壁１２に設けられたネット嵌め込め用溝１３に、ネット３１を嵌め込め、カバー２１取付け用溝１６に開閉自在に設けられたカバー２１で枠体開口部を塞ぎ、該枠体の複数適宜所で、前記カバー２１を固定手段で開閉不能に固定している。
また、ほぼ全長にカバー２１が開閉自在に設けられるゴール枠体１１は、押出し材で形成されたことを特徴とするものである。
【発明の効果】
【０００５】  本発明は、以上のような構成を有するものであるから次のような効果を奏する。
（１）ゴール枠体１１の全長にわたりネット嵌め込み溝１３が設けられているで、該溝にネットを嵌め込めれば良く、本発明は引っ掛け式で無いので切れを防止できるとともに、緩みも生じず最適な状態で取付ける事ができる。
（２）嵌め込み溝１３に嵌め込んでゴール枠体１１に取付けられたネットは、該枠体に開閉自在に設けられたカバー２１によって開口部が塞がれるので、取付けられたネットが簡単には外れる事がない。
（３）前記説明のように、隔壁１２にはネット嵌め込み溝１３を有しており、この溝にネットが嵌め込まれた後に、カバー２１によって開口部を塞いでネットが枠体から外れることを防止し、さらに、複数の適宜所では、前記カバー２１と枠体１１とを固定手段のナット４０とボルト４１で固定するので、一旦取り付けられたネットが外れたり緩んだりする現象の防止をより確実なものにしている。
（４）隔壁１２には突起１５を有し、この突起１５と縁部１８とでカバー２１の取付け溝１８を形成していて、該溝１８がカバー２１の回動軸所の役割を果たし、カバーの開閉作動を円滑にしている。
【発明を実施するための最良の形態】
【０００６】本発明に係るフットサルを含む球技用ゴールの、少なくとも正面枠体を構成する頂部横バー２並びに左右支柱３の枠体は、アルミニュームの押出材で作られ、この枠体の全長に渡り隔壁１２を設け、該隔壁にはネット嵌め込め用溝１３と、固定金具取付け用の溝１４と、カバー２１取付け用の溝１６とを備え、この前記溝１６に開閉自在にカバー２１を設け、嵌め込め用溝１３にはネット３１を嵌め込み、カバー２１で開口部を塞いでネットを係止固定するとともに、例えばフットサルでは、概ね１ｍ毎に固定金具用溝１４に固定手段金具のナット４０を取り付け、ボルト４１でカバー２１を固定する。【０００７】  前記隔壁１２には突起１５を設け、該突起１５と枠体１１の開口縁部１８とで形成されたカバー取付け溝１６に、開閉自在にカバー２１が取付けられている。
【実施例】
【０００８】  本発明の実施例を図面に基づき説明する。
図１に示したように本発明は、サッカーやフットサル、ハンドボールなどの球技スポーツ用のゴール１である。【０００９】該ゴール１は、頂部横バー２と左右の支柱３とで正面枠体を形成し、頂部横バー９、左右の支柱７と土台バー４、並びに前記正面枠体とを一体化する連結頂部バー８と土台連結バー６とで背面枠体を形成している。【００１０】  図２は、少なくとも頂部横バー２と左右の支柱３との全長に本発明を施して形成の枠体１１を説明するもので、該枠体の全長に渡り一方周壁を開口状として隔壁１２を設け、この隔壁１２には、ネット３１を嵌め込めるための溝１３と、固定金具取付け用の溝１４と、突起１５が設けられるとともに、の突起と枠体の周縁１８とでカバー２１を取付けのための溝１６を形成している。
該溝１６にカバー２１が開閉自在に取付けられ、このカバー２１の先端部が前記溝１３に嵌合される。尚、図中矢印実線はカバー２１の開閉の回動自在を示している。【００１１】図３は、前記図２にネット３１を取付けて、カバー２１で開口部を塞ぎ、実際に使用される状態を示したもので、カバー２１の先端部は前記溝１３に嵌合され取付けたネットが外れないようにその役割を果たしている。
合わせ、前記図２で説明の固定金具取付け用の溝１４に、ナット４０を設け、カバー２１と枠体１１をボルト４１の固定手段で固定した状態を説明するものである。
この固定手段は例えば、フットサルでは約１ｍ間隔毎に行なわれることが望ましくサッカーではゴール枠の大きさから概ね２．５ｍ毎が適している。
【産業上の利用可能性】
【００１２】  本発明の球技用ゴールは以上説明のような構成を有するものであるから、枠体にネットを取付ける方法が簡便であるばかりでなく、一度ゴール枠に取り付けられたネットは簡単に外れることが無くなるので、競技開始前の点検と、煩わしい再取付け作業を大幅に軽減できる有意義な発明である。したがって、フットサルを楽しんでいる小学生でも苦労無く使用できるゴールである。
更に、本発明の競技用ゴールは製造上の技術的な問題点も無いので、産業上の利用可能性は大いに期待できる。
【図面の簡単な説明】
【００１３】
【図１】本発明が使用される競技用ゴールを説明する図である。
【図２】本発明に係る競技用ゴールの枠体を断面で説明する図である。
【図３】図２で説明の枠体にネットを取付け、且つ、固定手段でカバーと枠体を固定した部位を断面で説明する図である。
【符号の説明】
【００１４】１球技用ゴール  ２頂部横バー  ３左右支柱  ４土台横バー  ６土台架バー
７背面支柱  ８頂部架バー  ９背面頂部横バー
１１ゴール枠体  １２隔壁  １３ネット嵌め込み溝  １４固定金具用溝  １５突起
１６カバー取付け用溝  １８枠体縁部１８
２１カバー  ４０ナット  ４１ボルト
【図１】
2007082988.tif 000003
【図２】
2007082988.tif 000004
【図３】
2007082988.tif 000005